(57)【要約】【課題】容器天蓋の缶口に対する「初期封緘−封緘解除−再封緘」の作業の手間を少なくし、当該作業の効率化を図ることを目的とする。【解決手段】容器１の天蓋２として、口金２１および初期封緘用の封緘部２２を成形加工により最初から備えたもの、すなわち缶口２３がまだ生成されていないものを用いる。例えば白ペイント８を入れた缶本体３に天蓋２を強く嵌合させた状態の容器１を次の工程（工場）に送る。次の工程では、プルタブ２２ｂを引っ張って初期封緘部２２を口金２１から切り取ることにより缶口２３を生成した上で、調合用の顔料８を当該缶口から容器内部に入れる。調合終了後、既製のふた４を口金２１に嵌め込んで固定するとともに、その上に既製のプロテクタ５を取り付ける。このように初期封緘部付きの天蓋を用いることにより、初期封緘作業を省いている。【選択図】    図１
2004161353.tif 000002
【特許請求の範囲】
【請求項１】
容器の天蓋の一部である内容物注入出用の缶口の封緘方法において、
前記天蓋として、容器利用者が自らの力で分離できる態様の缶口封緘部と、前記缶口に対する再封緘用のふたの口金とを少なくとも有し、その全体が成形加工された合成樹脂製のものを用い、
前記缶口封緘部をいったん前記天蓋から分離して、前記缶口を用いた内容物の注入出作業を必要に応じて行なった上で、前記口金に前記ふたを取り付けるとともに再封緘用のプロテクタを設定する、
ことを特徴とする容器の缶口の封緘方法。
【請求項２】
前記再封緘用のふた、および前記再封緘用のプロテクタとして、既製のものを用いる、
ことを特徴とする請求項１記載の容器の缶口の封緘方法。
【発明の詳細な説明】
【０００１】
【発明の属する技術分野】
本発明は、容器の缶口の封緘方法に関し、特にペール缶などの容器の天蓋（天板）に形成される内容物注入出用の缶口の封緘方法に関する。
【０００２】
一般に、天蓋を用いる容器に例えば塗料などの内容物を入れた形の最終製品を製造する際、先ず甲工場で第１の液を容器に入れて当該天蓋の缶口を初期封緘した上で別の乙工場に送り、この乙工場では当該封緘を解除した後の缶口から第２の液を容器に入れて調合などした後で当該缶口を再封緘する、といった一連の作業が行なわれることがある。封緘する理由は、本来の作業済みの内容物へのいたずらなどを防止して、当該内容物の真正さを担保するためである。
【０００３】
この一連の作業においては、容器天蓋の缶口に対する封緘作業全体（缶口の初期封緘−封緘解除−缶口の再封緘）の簡単化を図ることが望ましく、本発明はこのような要請に応えるものである。
【０００４】
【従来の技術】
従来の、容器天蓋の缶口を封緘する手法としては、
・缶口を形成する口金に嵌合密着するスカート部と、複数の切取片を介して当該スカート部の上方側につながる本体部と、からなる封緘具（＝プロテクタ）を準備し、
・この封緘具の本体部に王冠状のふたを収納・保持することにより、封緘具付きのふたを作成し、
・この封緘具付きのふたを口金に取り付けることにより、封緘具のスカート部が当該口金に嵌合密着した形の固定状態（＝封緘状態）とする、
などの方法がある（例えば特許文献１参照）。
【０００５】
なお、封緘具の本体部自体は口金に嵌合密着せず、いわば口金に対してフリーの状態になっている。
【０００６】
この固定状態（＝封緘状態）のままでは、作業者は、封緘具が邪魔となって缶口のふたを開けることができない。
【０００７】
缶口のふたを開けるには、封緘具の本体部を口金に対して回すなどして、当該口金に固定されているスカート部と当該口金に対してフリー状態の本体部との間の切取片を切断すればよい。
【０００８】
この切断により、ふた（および封緘具の本体部）は口金から取外し可能となる。封緘具のスカート部はそれまでと同じように口金に強く嵌合して固定されたままである。
【０００９】
ここで上述の第２の液を調合する場合には、缶口のふたを外した上で当該缶口から当該液を注入することになる。そして、調合処理を終えると缶口を再度封緘する。
【００１０】
この再封緘作業は、
・口金に強く嵌合したままのスカート部を当該口金から取外し、
・新たな封緘具を当該口金に固定する、
といった手順になる。
【００１１】
【特許文献１】
特開平１０−４５１５０号公報
【００１２】
【発明が解決しようとする課題】
以上のような缶口の封緘手法により上述の「初期封緘−封緘解除−再封緘」の一連作業を行なうには、二度の封緘処理を積極的に行ない、また、再封緘処理に際しては封緘解除後も口金に固定されたままとなっている初期封緘具のスカート部を当該口金から確実に取り外さなければならず、全体として手間のかかる作業を強いられるという問題点があった。
【００１３】
そこで、本発明では、容器の天蓋として、もともと初期封緘部および（缶口部分の）ふた取付用の口金を有するもの、すなわち初期封緘部を作業者が分離することにより缶口が生成される態様で成形加工された合成樹脂製の天蓋を用いて、最初の封緘解除の際には利用者（作業者）この初期封緘部を分離し、また再封緘の際には口金に例えば既製のふたおよび封緘具（＝プロテクタ）を取り付けるようにして、「初期封緘−封緘解除−再封緘」の作業における手間を少なくし、当該作業の効率化を図ることを目的とする。
【００１４】
【課題を解決するための手段】
本発明は、以上の課題を次のようにして解決する。
（１）容器（例えば後述の容器１）の天蓋（例えば後述の天蓋２）の一部である内容物注入出用の缶口（例えば後述の缶口２３）の封緘方法において、前記天蓋として、容器利用者が自らの力で分離できる態様の缶口封緘部（例えば後述の封緘部２２）と、前記缶口に対する再封緘用のふた（例えば後述のつめ式ふた４）の口金（例えば後述の口金２１）とを少なくとも有し、その全体が成形加工された合成樹脂製のものを用い、前記缶口封緘部をいったん前記天蓋から分離して、前記缶口を用いた内容物の注入出作業を必要に応じて行なった上で、前記口金に前記ふたを取り付けるとともに再封緘用のプロテクタ（例えば後述のプロテクタ５）を設定する。
（２）前記再封緘用のふた、および前記再封緘用のプロテクタとして、既製のもの（例えば後述のつめ式ふた４およびプロテクタ５）を用いる。
【００１５】
本発明によれば、上記（１）のように、口金とともに初期封緘用の缶口封緘部を成形加工により最初から備えた態様の合成樹脂製の天蓋を用い、この缶口封緘部を解除した後の再封緘のときにはじめて従来の封緘作業（缶口にふたおよびプロテクタを設定する作業）を要するものとし、これにより缶口に対する「初期封緘−封緘解除−再封緘」といった一連の封緘作業の初期封緘部分を省き、当該封緘作業全体の効率化を図っている。
【００１６】
また、上記（２）のように、缶口に対する再封緘用のふた，プロテクタとして既製のものを用い、これにより封緘用各部品の有効利用を図るとともに、一連の封緘処理全体のコストダウン化を図っている。
【００１７】
【発明の実施の形態】
本発明の実施の形態を図１乃至図４を用いて説明する。
【００１８】
各図のうち、
図１は、「初期封緘−封緘解除−再封緘」の作業手順の概要を示し、
図２は、初期封緘状態の天蓋の要部断面を示し、
図３は、つめ式の「ふた」に対する再封緘状態の要部断面を示し、
図４は、ねじ式の「ふた」を用いる場合の再封緘処理の概要を示している。
【００１９】
図１乃至図４において、
１は各種の内容物（ペイント，インキなど）を収納する合成樹脂製の容器，
２は容器１を構成する天蓋（天板），
２１は天蓋２の（後述のつめ式ふた４に対応した）口金，２１ａは当該口金の一部であって（後述のつめ式ふた４を嵌める際の）ふた案内用の環状テーパ面，２１ｂは当該環状テーパ面に続くふた係止用の環状凹部，２１ｃは当該口金の一部であってインサート成形用の環状凹部，
２２は口金２１と一体の封緘部，２２ａは当該封緘部に形成した切取り用の環状薄肉部，２２ｂは当該封緘部を切り取るときに用いるプルタブ，
２３はプルタブ２２ｂを引っ張って封緘部２２を口金２１から切り取ることにより生成される内容物注入出用の缶口，
２４は天蓋２の外スカート部，２４ａ〜２４ｃはそれぞれ当該外スカート部の内周面に形成された環状のリム，
２５は天蓋２の（後述のねじ式ふた６に対応した）口金，２５ａは当該口金の外周面に形成された螺子部，２５ｂは後述のプロテクタ７を係止するために当該口金の外周面に形成された環状凹部，
３は容器１を構成する缶本体，３ａ〜３ｃはそれぞれ天蓋２のリム２４ａ〜２４ｃと強く係止するように当該缶本体の外周面に形成されたフランジ，
３１は缶本体３のハンドル，
４は再封緘用のつめ式ふた（＝ＪＩＳ規格のＢ形），４ａおよび４ｂは当該つめ式ふた用のパッキン，
５はつめ式ふた４に対するプロテクタ，
６は再封緘用のねじ式ふた（＝ＪＩＳ規格のＡ形），６ａは中ふた，
７はねじ式ふた６に対するプロテクタ，７ａは当該プロテクタを裂く際に用いられるリング状部分，
８は天蓋２を缶本体３に取り付ける前に当該缶本体に入れた白ペイント，
９はリム２４ａ〜２４ｃとフランジ３ａ〜３ｃとの係止作用により天蓋２および缶本体３が一体となった状態の容器１にその缶口２３から注入される例えば調合用の顔料，
をそれぞれ示している。
【００２０】
今回の封緘方法における作業手順は、例えば図１に示すように、
（ａ）  白ペイント８を入れた缶本体３に口金・封緘部付きの天蓋２（図２参照）を取り付けることにより、白ペイント収納の初期封緘済みの容器１を作成し、
（ｂ１）調合工程に移送された容器１（天蓋２）のプルタブ２２ｂを引っ張って封緘部２２を口金２１から切り取る（＝初期封緘を解除する）ことにより、缶口２３を生成し、
（ｂ２）缶口２３から顔料９を容器内部に注入して白ペイント８と調合し、
（ｃ１）調合終了後、パッキン４ａ，４ｂとともに再封緘用のつめ式ふた４を口金２１に嵌め込んで固定し（図３参照）、
（ｃ２）つめ式ふた４にプロテクタ５をかぶせてその下端側の縁部分を環状凹部２１ｂの方に締めつけて（絞って）、当該プロテクタが当該ふたから外れないようにする（図３参照）、
といった内容である。なお、プロテクタ５をつめ式ふた４に被せた状態で（ｃ１）の処理を実行してもよい。
【００２１】
ここで、口金・封緘部付きの天蓋２の作成手順は、例えば、
（１１）あらかじめ封緘部２２と一体の口金２１を成形加工し、
（１２）この封緘部付きの口金２１を可動金型に保持し、
（１３）この可動金型の口金２１を、固定金型との間に、当該口金の環状凹部２１ｃに樹脂が注入される態様で挟み込み、
（１４）この可動金型と固定金型との、口金２１の環状凹部２１ｃに通じる隙間部分に（天蓋成形用の）樹脂を注入する、
といったインサート成形の手順になる。
【００２２】
このようなインサート成形の手法自体は周知である。本件出願人は、今回の天蓋２の製造と同様の方法ともいえるスパウト付きの蓋の製造方法を、特開平１１−３４１１７号公報で開示している。
【００２３】
また、天蓋２の缶本体３への取付け作業、すなわち両者の一体化は、天蓋２を缶本体３に押し込んでリム２４ａ〜２４ｃ（天蓋２のスカート部２４）とフランジ３ａ〜３ｃ（缶本体３）とを強く係止させることにより行なわれる。
【００２４】
この押し込みにともない、天蓋２と缶本体３とは、スカート部２４やフランジ３ａ〜３ｃの各部分のいわば相対的で弾性的な撓みによって確実に係止状態へと移行する。
【００２５】
以上のリム２４ａ〜２４ｃおよびフランジ３ａ〜３ｃの構造，作用などについては特開平１１−３２１９０４公報で開示している。
【００２６】
ユーザなどが図１（ｃ）の再封緘状態の容器から内容物を取り出して使用する場合は、指などでプロテクタ５を破いてつめ式ふた４を口金２１から取り外せばよい。
【００２７】
つめ式ふた４は、その上面を押すことにより、複数の縦方向の切り込みを持つ側面部分が外側に広がった状態となって口金２１から簡単に外れる。この広がった状態のつめ式ふた４の底面（上面の裏側）を上方向に押すと、当該ふたは元の状態に戻って、口金２１に再度取付け可能となる。つめ式ふた４およびプロテクタ５は既製のものである。
【００２８】
図４は、図１〜図３のつめ式ふた４に代えてねじ式ふた６を用いた再封緘手法を示すもので、
（２１）先ず、つめ式ふた４の場合と同じように、容器１（天蓋２）のプルタブ２２ｂを引っ張って封緘部２２を口金２５から切り取り（図示の天蓋の状態）、
（２２）口金２５の缶口に中ふた６ａを入れ、
（２３）口金２５の螺子部２５ａにねじ式ふた６を螺合させ、
（２４）ねじ式ふた６の上からプロテクタ７を被せてその下端側の縁部分を環状凹部２５ｂの方に締めつけて（絞って）、当該プロテクタが当該ふたから外れないようにする、
といった手順をふんでいる。
【００２９】
このねじ式ふた６を用いた再封緘を解除するには、プロテクタ７のリング状部分７ａを持ち上げて当該プロテクタの周面を引き裂けばよい。
【００３０】
各部材の材質としては例えば、
・容器１はポリエチレン，ポリプロピレンなどの合成樹脂製のもの
・つめ式ふた４およびねじ式ふた６はブリキ，アルミニウム，メッキ鋼板などの金属製のもの
・プロテクタ５，７はブリキ，アルミニウム，メッキ鋼板などの金属製のものやポリエチレン，ポリプロピレンなどの合成樹脂製のもの
を用いる。
【００３１】
もっとも、金属製の缶本体３や合成樹脂製のふた４，６を用いてもよいことは勿論である。
【００３２】
なお、以上の説明で用いたペイントおよび顔料は容器の内容物の単なる一例であって、本発明が任意の内容物に対して適用できることはいうまでもない。
【００３３】
【発明の効果】
本発明は、このように、口金とともに初期封緘用の缶口封緘部を成形加工により最初から備えた態様の合成樹脂製の天蓋を用い、この缶口封緘部を解除した後の再封緘のときにはじめて従来の封緘作業（缶口にふたおよびプロテクタを設定する作業）を要するものとしているので、缶口に対する「初期封緘−封緘解除−再封緘」といった一連の封緘作業の初期封緘部分を省いて、当該封緘作業全体の効率化を図ることができる。
【００３４】
また、缶口に対する再封緘用のふた，プロテクタに既製のものを用いるようにしているので、封緘用各部品の有効利用を図るとともに、一連の封緘処理全体のコストダウン化を図ることができる。
【図面の簡単な説明】
【図１】本発明の、「初期封緘−封緘解除−再封緘」の作業手順の概要を示す説明図である。
【図２】本発明の、初期封緘状態の天蓋の要部断面を示す説明図である。
【図３】本発明の、「ふた」に対する再封緘状態の要部断面を示す説明図である。
【図４】本発明の、ねじ式の「ふた」を用いる場合の再封緘処理の概要を示す説明図である。
【符号の説明】
１：合成樹脂製の容器
２：天蓋（天板）
２１：つめ式ふた４に対応した口金
２１ａ：環状テーパ面
２１ｂ：ふた係止用の環状凹部
２１ｃ：インサート成形用の環状凹部
２２：口金２１と一体の封緘部
２２ａ：切取り用の環状薄肉部
２２ｂ：プルタブ
２３：缶口
２４：外スカート部
２４ａ〜２４ｃ：環状のリム
２５：ねじ式ふた６に対応した口金
２５ａ：螺子部
２５ｂ：プロテクタ係止用の環状凹部
３：缶本体
３ａ〜３ｃ：フランジ
３１：ハンドル，
４：再封緘用のつめ式ふた（＝ＪＩＳ規格のＢ形）
４ａ，４ｂ：パッキン
５：プロテクタ
６：再封緘用のねじ式ふた（＝ＪＩＳ規格のＡ形）
６ａ：中ふた
７：プロテクタ
７ａ：リング状部分
８：白ペイント
９：調合用の顔料
【図１】
2004161353.tif 000003
【図２】
2004161353.tif 000004
【図３】
2004161353.tif 000005
【図４】
2004161353.tif 000006